【事件の表示】
　平成　４年特許願第２２５１９１号「熱交換ユニット」拒絶査定に対する審判事件［平成　６年　２月２２日出願公開、特開平　６−　５０５７４］について、次のとおり審決する。
【結　論】
　本件審判の請求は、成り立たない。
【理　由】
１．手続の経緯・本願発明
  本願は、平成４年７月３１日の出願であって、その請求項１に係る発明（以下、「本願発明」という。）は、平成１３年１月１９日付け手続補正書によって補正された明細書及び図面の記載からみて、特許請求の範囲の請求項１に記載された事項により特定される次のとおりのものである。
「筐体内に冷凍機器及び該冷凍機器を制御する電装部品を内蔵し、該電装部品に接続される電気配線を前記筐体側壁より引き入れて成る熱交換ユニットにおいて、前記側壁を構成する第１及び第２のパネルと、前記電装部品の取付面を有し、当該取付面を前記第１のパネル側に対向させた状態で該第１のパネルの内側に対応して前記筐体内に配設された固定具とを具備し、前記電気配線は前記第２のパネルから引き入れられると共に、前記電装部品は前記第１のパネル側に対向した状態で前記固定具の取付面に取り付けられていることを特徴とする熱交換ユニット。」
　
２．引用刊行物とその記載事項
（１）原査定の拒絶の理由に引用された本願出願前に頒布された刊行物である実願昭６１−６８３２号（実開昭６２−１２０１３０号）のマイクロフィルム（以下「引用例１」という。）には、
Ａ．実用新案登録請求の範囲に、
「筺体に冷凍機器並びにこれら機器の制御部品を内蔵させ、この部品と外部とを電気的につなぐ配線を筺体の側壁から延出させるようにした熱交換ユニットにおいて、前記側壁を下パネルと上パネルとから構成し、この下パネルの上部には外側に向かう突出片を設け、上パネルの下部にはこの突出片をおおうカバーを設け、且つこの突出片には前記配線のガイドを形成し、このガイドには前記配線の先端部を保持する取付具を固着したことを特徴とする熱交換ユニット。」と記載され、
Ｂ．第２頁第１２行〜第１４行に、目的について
「本考案はユニットに内蔵された端子板などの部品に配線をつなぎやすくすることを目的としたものである。」と記載され、
Ｃ．実施例として、第４頁第４行〜第６頁第５行に、
「１１はこのユニット1内で水平状態に配設された電装板である。１２は端子で、１３はこの端子の固定板で、電装板の右端に斜めに取り付けられている。
　・・（中略）・・。１５は下パネル１４の上縁１６に取り付けた突出片で、ユニットの外側へ斜めに延びている。この突出片１５には配線のガイドとなる取付穴２４が３ヶ設けられている。このように下パネル１４を熱交換ユニット１に取り付けると、端子１２の斜め下方にこの突出片１５が位置するようにしている。
　１７は上パネルで、下パネルの上方に配設されるものである。・・・（中略）・・・。配線１９を端子１２へつなぐ時には上パネル１７を外して、熱交換ユニット１の側壁の上半分を開口状態とする。そして導管２０の取付具２１を、突出片１５の取付穴２４に挿入し、ナット２３を螺合させてこの取付具２１を突出片１５に固定する。このように取付具２１を突出片１５に固定すると、配線１９が端子１２の近くに位置され、配線１９を端子１２に接続しやすいようにしている。このようにして配線１９をつないだ後、上パネル１７を装着し、配線１９並びに端子１２をおおう。」と記載され、
Ｄ．　第６頁第７行〜第１６行に、効果として
「以上述べたように、本考案の熱交換ユニットによればこのユニットの側壁を下パネルと上パネルとから構成し、下パネルを取り付けたままで上パネルが外れるようにしたので、配線作業時にこの上パネルを外してサービス用の開口を大きくとれる。又この開口の近くにユニットの外側に延びた突出片を位置させたので、突出片に配線を固定した後の配線の接続作業を簡単に行なうことができる。」と記載されている。
（２）上記の記載事項Ａ及びＣ並びに添付の図面が図示するところによれば、引用例１には、次の発明が記載されている。
「筺体に冷凍機器並びにこれら機器の例えば端子１２などの制御部品を内蔵させ、この部品と外部とを電気的につなぐ配線を筺体の側壁から延出させるようにした熱交換ユニットにおいて、前記側壁を構成する上パネル及び下パネルと、該上パネルの内側に対応して前記筐体内に水平状態に配設された電装板１１とを具備し、前記電気配線は前記下パネルから引き入れられると共に、前記端子１２は前記上パネル側に対向した状態で端子固定板１３を介して前記電装板１１に取り付けられている熱交換ユニット。」
　
３．対比
　本願発明と引用例１の発明を対比すると、引用例１の発明の「端子１２などの制御部品」、「上パネル」、「下パネル」及び「電装板１１」は、それぞれ本願発明の「電装部品」、「第１のパネル」、「第２のパネル」及び「固定具」に相当し、前記電装板１１は制御部品等の電装部品の取付面を有することは当業者には自明であるから、両発明の一致点及び相違点は次のとおりであると認められる。
［一致点］筐体内に冷凍機器及び該冷凍機器を制御する電装部品を内蔵し、該電装部品に接続される電気配線を前記筐体側壁より引き入れて成る熱交換ユニットにおいて、前記側壁を構成する第１及び第２のパネルと、前記電装部品の取付面を有し、該第１のパネルの内側に対応して前記筐体内に配設された固定具とを具備し、前記電気配線は前記第２のパネルから引き入れられると共に、前記電装部品は前記固定具の取付面に取り付けられている熱交換ユニット。」
［相違点］電装部品の取付面を第１のパネルの内側に対応して筐体内に配設することについて、本願発明は、「電装部品の取付面を前記第１のパネル側に対向させた状態で」とし、かつ、電装部品は固定具の取付面に取り付けられることについて、「電装部品は第１のパネル側に対向した状態で」とした構成を具備したものであるのに対し、引用例１記載のものは、かかる構成を備えていないものであること。
　
４．相違点についての検討
　上記の相違点について検討すると、本願発明と引用例１の発明は、第１のパネル（上パネル）の内側に対応して筺体内に配設された固定具（電装板１１）を具備し、第２のパネル（下パネル）を取り付けたままで、第１のパネル（上パネル）のみを外すことにより作業用の開口を大きくとることができて、配線の接続作業を容易に行うことができるようにした点で共通するところ（本願明細書の段落番号【００１６】の記載、及び引用例１の記載事項Ｄ参照。）、本願発明や引用例１の発明と同様の熱交換器ユニットである分離型空気調和機の室外ユニットにおいて、電装部品の取付面を作業用のパネル側に対向させた状態で該パネルの内側に対応して筺体内に配設された電装部品の固定具を具備し、該電装部品は該パネル側に対向した状態で該固定具の取付面に取り付けられているようにすることは、例えば、実願昭６２−１５２２９２号（実開平１−５８０２４号）のマイクロフィルム、実願昭５７−６７６３３号（実開昭５８−１６９４６５号）のマイクロフィルム、実願昭５５−１１９３４４号（実開昭５７−４２３８４号）のマイクロフィルムに開示されているように、本願出願前の周知技術であると認められる。そうすると、引用例１記載の発明において、サービスパネルとしての機能を有すると認められる上パネルの内側に対応してかかる周知技術を適用することは、当業者であれば容易に想到し得たことというべきである。
　そして、本願発明の効果を検討してみても、引用例１記載の発明及び周知技術から当業者が容易に予測し得る程度のものであって、これを超えるような顕著な効果を奏するものではない。    
　
５．　むすび
　したがって、本願発明は、引用例１記載の発明及び周知技術に基づいて当業者が容易に発明をすることができたものであるので、特許法第２９条第２項の規定により特許を受けることができない。　
　よって、結論のとおり審決する。